(57)【要約】【解決手段】ボタンホールｅに差し込み得る差込部１を有する装飾部材Ｂと、連結リング２と衣類Ｅのボタンｅ’に係止するための伸縮自在のリング３とを連結体４によって連結した連結部材Ｆからなり、前記差込部１に連結部材Ｆの連結リング２を装着して装飾部材Ｂと連結部材Ｆとを接続する。伸縮自在のリング３を衣類Ｅのボタンｅ’に係止するとともに、前記差込部１をボタンホールｅに差し込んで前記装飾部材Ｂを衣類Ｅの表側に位置させる。【効果】襟元が開き過ぎるのを軽減することができる。また、装飾部材Ｂにより服装をおしゃれに、そして、豪華に演出することができるだけでなく、胸元のドレスアップにも貢献する。リング３をボタンｅ’に係止しやすく、また、一旦ボタンｅ’に係止した後は外れにくい。【選択図】図６
2013165956.tif 000002
【特許請求の範囲】
【請求項１】
衣類のボタンホールに差し込み得る差込部を有する装飾部材と、連結リングと衣類のボタンに係止するための伸縮自在のリングとを連結体によって連結した連結部材からなり、前記差込部に連結部材の連結リングを装着して装飾部材と連結部材とを接続したボタン用アクセサリーであって、前記伸縮自在のリングを衣類のボタンに係止するとともに、前記差込部をボタンホールに差し込んで前記装飾部材を衣類の表側に位置させたことを特徴とするボタン用アクセサリー。
【請求項２】
装飾部材は、差込部の両側に装飾体を備えていることを特徴とする請求項１記載のボタン用アクセサリー。
【請求項３】
差込部はボタンホールの形状に合わせて縦長状としたことを特徴とする請求項１又は２記載のボタン用アクセサリー。
【請求項４】
連結体に別の装飾体を取り付けたことを特徴とする請求項１記載のボタン用アクセサリー。
【発明の詳細な説明】
【技術分野】
【０００１】
本発明は、ワイシャツ、ブラウス、ポロシャツなどボタンを有する衣類に使用し得るアクセサリーに関するものである。
【背景技術】
【０００２】
クールビズやスーパークールビズなどでネクタイを着用しない傾向にある昨今、ビジネスシーンやその他の機会にワイシャツ、ブラウス、ポロシャツなどボタンを有する衣類のボタンをボタンホールから外すことが多いが、襟元が開き過ぎるとだらしなく見える場合がある。また、中には、ネクタイを着用しないでボタンを開けることを気にする人もいる様である。
【０００３】
このような場合において、ボタンを有する衣類のボタンホールにアクセサリーを取り付けることができるようにすれば、上記欠点を軽減することができるだけでなく、胸元、襟元のドレスアップにもつながる。
【０００４】
このようなアクセサリーに相当するものとして、装飾部とボタン止めとを連接体によって連接する装飾体よりなり、該ボタン止めによってシャツのボタンに係止すると共に該装飾部をボタン穴から外部に表出して装着する装飾体であって、該装飾体にはリング部材を有するものが提案されている（例えば、特許文献１）。
【先行技術文献】
【特許文献】
【０００５】
【特許文献１】特開２００７−１９５６２０号公報
【０００６】
この装飾体によれば、装飾部を外部に表出して装着できると共にリング部材によってボタン穴に挟み込むことができるので、装飾的価値の高い装飾体を装着できると共に、簡単に装着でき、ボタン穴外部にきっちりと装飾部を位置させることができる。
【発明の概要】
【発明が解決しようとする課題】
【０００７】
この装飾体は上述したように優れた効果を奏するが、襟元が開き過ぎるのを軽減することについては全く考慮されておらず、また、一般的な装飾品に多用されている楕円形状を有する普通のボタン止めを用いているため、ボタン止めがボタンから外れやすいのみならず、利用者の急な動きや引っ張りなどにより、連接体またはボタンがちぎれてしまうという欠点がある。
本発明は、これらの致命的欠点を解消することを目的とするものである。
【課題を解決するための手段】
【０００８】
この目的を達成するため、本発明では、ボタンホールに差し込み得る差込部を有する装飾部材と、連結リングと衣類のボタンに係止するための伸縮自在のリングとを連結体によって連結した連結部材からなり、前記差込部に連結部材の連結リングを装着して装飾部材と連結部材とを接続したボタン用アクセサリーであって、前記伸縮自在のリングを衣類のボタンに係止するとともに、前記差込部をボタンホールに差し込んで前記装飾部材を衣類の表側に位置させたものである。
【０００９】
このボタン用アクセサリーは、利用者の趣向で衣類のいずれかのボタンに対応するボタンホールに伸縮自在のリングとともに連結部材を差し込んで前記ボタンに伸縮自在のリングを係止するとともに、装飾部材の差込部を前記ボタンホールに差し込むか、あるいは、装飾部材の差込部を衣類のいずれかのボタンホールに差し込むとともに、伸縮自在のリングを衣類の外側から前記ボタンホールに対応するボタンに係止することにより、連結部材を衣類の内側か、あるいは、外側に位置させ、装飾感の違いを楽しむことができる。
【００１０】
このボタン用アクセサリーを用いた場合には、襟元が開き過ぎるのを軽減することができる。また、装飾部材として装飾価値の高いものを用いた場合には、この装飾部材により服装をおしゃれに、そして、豪華に演出することができるだけでなく、胸元のドレスアップにも貢献する。
【００１１】
特に、衣類のボタンに係止するための部材として、伸縮自在のリングを用いている。したがって、このリングをボタンに係止しやすく、また、一旦ボタンに係止した後は外れにくいのみならず、利用者の急な動きや引っ張りなどにより、連結体またはボタンがちぎれてしまうことがなく、その結果として、連結体によって前記リングと連結されている装飾部材を落とすことがない。
【００１２】
装飾部材は、差込部の両側に装飾体を備えていることが好ましい。このボタン用アクセサリーによれば、表裏両側に位置する装飾体のいずれかを利用できるので、表裏両側に位置する装飾体の装飾を異ならしめることにより、趣の異なる装飾価値の高い装飾が可能になる。
【００１３】
差込部はボタンホールの形状に合わせて縦長状としておくのが良い。このボタン用アクセサリーによれば、縦長状の差込部が縦長状のボタンホールに差し込まれるので、ボタンホールの外側に位置する装飾部材の向きが変わって装飾効果が減殺されることを防止できる。
【００１４】
連結体に別の装飾体を取り付けておくと良い。このボタン用アクセサリーによれば、連結部材が、特にその一部である連結体がさらに別の装飾体で飾られるので、装飾効果がより一層高くなり、ボタン用アクセサリーとしてより一層高価に見える。
【発明の効果】
【００１５】
請求項１記載のボタン用アクセサリーを用いた場合には、襟元が開き過ぎるのを軽減することができ、また、装飾部材により服装をおしゃれに、そして、より豪華に演出することができるだけでなく、胸元のドレスアップにも貢献する。特に、衣類のボタンに係止するための部材として、伸縮自在のリングを用いているので、このリングをボタンに係止しやすく、また、一旦ボタンに係止した後は外れにくいのみならず、利用者の急な動きや引っ張りなどにより、連結体またはボタンがちぎれてしまうことがなく、その結果として、連結体によって前記リングと連結されている装飾部材を落とすことがない。
【００１６】
請求項２記載のボタン用アクセサリーによれば、表裏両側に位置する装飾体のいずれかを利用できるので、表裏両側に位置する装飾体の装飾を異ならしめることにより、趣の異なる装飾価値の高い装飾が可能になる。
【００１７】
請求項３記載のボタン用アクセサリーによれば、縦長状の差込部が縦長状のボタンホールに差し込まれるので、ボタンホールの外側に位置する装飾部材の向きが変わって装飾効果が減殺されることを防止できる。
【００１８】
請求項４記載のボタン用アクセサリーによれば、連結部材が、特にその一部である連結体がさらに別の装飾体で飾られるので、装飾効果がより一層高くなり、ボタン用アクセサリーとしてより一層高価に見える。
【図面の簡単な説明】
【００１９】
【図１】本発明によるボタン用アクセサリーの一例を示す概略図で、(a)は装飾部材と連結部材とを分離して示す平面図、(b)は装飾部材と連結部材とを分離して示す正面図、(c)は装飾部材の底面図、(d)は(b)におけるＣ−Ｃ線断面図である。
【図２】図１に示すボタン用アクセサリーの使用状態を示す斜視図で、連結部材を衣類の内側に位置させた場合を示す。
【図３】図２の一部拡大の斜視図である。
【図４】本発明によるボタン用アクセサリーの別の例を示す概略図で、(a)は装飾部材と連結部材とを分離して示す平面図、(b)は装飾部材と連結部材とを分離して示す正面図、(c)は装飾部材の底面図、(d)は装飾部材の側面図、(e)は(b)におけるＤ−Ｄ線断面図である。
【図５】図４に示すボタン用アクセサリーの使用状態を示す斜視図で、連結部材を衣類の内側に位置させた場合を示す。
【図６】図５の一部拡大の斜視図である。
【図７】図３の場合と異なって連結部材を衣類の外側に位置させた状態を示す拡大斜視図である。
【図８】図６の場合と異なって連結部材を衣類の外側に位置させた状態を示す拡大斜視図である。
【図９】ボタン用アクセサリーの一部である伸縮自在のリングを、ボタンに係止した状態を示す拡大平面図である。
【図１０】図４に示すボタン用アクセサリーをボタンホールに差し込んだ状態を示す一部切欠の断面図である。
【図１１】連結部材の一部である連結体に、別の装飾体を取り付けた状態を示す平面図である。
【図１２】装飾性を向上させるために、装飾部材に別の装飾体を取り付け得るようにした形態について、Ａタイプの装飾部材を用いて説明するための平面図で、装飾部材と連結部材とを分離して示す。
【図１３】衣類のボタンに係止するための伸縮自在のリングの変形例を示す平面図で、(a)は略楕円形のものを、(b)は略方形状のものを示す。
【発明を実施するための形態】
【００２０】
本発明によるボタン用アクセサリーの一例を、図面に基づいて詳細に説明する。
【００２１】
ここに例示するボタン用アクセサリーは、いずれも、ワイシャツ、ブラウス、ポロシャツなどボタンを有する衣類Ｅのボタンホールｅに差し込み得る差込部１を有する装飾部材と、連結リング２と衣類Ｅのボタンｅ’に係止するための伸縮自在のリング３とを連結体４によって連結した連結部材Ｆとからなっている。ただし、装飾部材はＡタイプとＢタイプの二種類がある。
【００２２】
図１に、装飾部材がＡタイプのボタン用アクセサリーを示す。ここに示すＡタイプの装飾部材には、前記差込部１の上下両側に位置する装飾体ａ，ａ’のうち上側の装飾体ａに装飾価値の高い装飾加工を施したラインストーン５を備えており、装飾価値の高い豪華なアクセサリーとなっている。そして、上下２つの装飾体ａ，ａ’と差込部１とを金属製とし、その部分をメッキ加工、ペイント加工を施せば、より豪華なアクセサリーとなる。ラインストーン５に代えて別の石を用いても良いし、石の代わりにクロスなどで装飾しても良い。
【００２３】
そして、前記差込部１に連結部材Ｆの連結リング２を装着してＡタイプの装飾部材と連結部材Ｆとを接続することで、１つのボタン用アクセサリーとなる。Ａタイプの装飾部材を有するボタン用アクセサリーは、図２及び図３に示すように、前記伸縮自在のリング３を衣類Ｅのボタンｅ’のいずれかに係止するとともに、前記差込部１を当該ボタンｅ’に対応するボタンホールｅに差し込んで前記Ａタイプの装飾部材を衣類Ｅの表側に位置させる。
【００２４】
Ａタイプの装飾部材を用いた場合には、少なくとも襟元が開き過ぎるのを軽減することができる。また、この装飾価値の高いＡタイプの装飾部材により服装をおしゃれに、そして、より豪華に演出することができるだけでなく、胸元のドレスアップにも貢献する。
【００２５】
図１に示すＡタイプの装飾部材の下側の装飾体ａ’には、ボタンｅ’の糸通し穴と同じように、４つの穴ａ”，ａ”が形成されており、上側の装飾体ａに代わってこの装飾体ａ’を利用すれば、趣の異なる装飾が可能になる。この装飾体ａ’を衣類Ｅの袖口のボタンとして利用すれば、カフスボタンの代わりとして充分利用できる。
なお、図１(d)に示すように、Ａタイプの装飾部材においては、差込部１の横断面形状を真円形とした場合が例示されている。
【００２６】
一方、図４に、装飾部材がＢタイプのボタン用アクセサリーを示す。ここに示すＢタイプの装飾部材には、前記差込部１の上下両側に位置する装飾体ｂ，ｂ’のうち上側の装飾体ｂには比較的簡単な装飾加工を施した十字架６を備えており、比較的簡易なアクセサリーとしてある。十字架６以外の形状の装飾体としても良い。そして、上下２つの装飾体ｂ，ｂ’と差込部１とを金属製とし、その部分にメッキ加工、ペイント加工を施せば、少し豪華なアクセサリーとなる。
【００２７】
そして、前記差込部１に連結部材Ｆの連結リング２を装着してＢタイプの装飾部材と連結部材Ｆとを接続することで、１つのボタン用アクセサリーとなる。Ｂタイプの装飾部材を有するボタン用アクセサリーは、図５及び図６に示すように、前記伸縮自在のリング３を衣類Ｅのボタンｅ’のいずれかに係止するとともに、前記差込部１を当該ボタンｅ’に対応するボタンホールｅに差し込んで前記Ｂタイプの装飾部材を衣類Ｅの表側に位置させる。
【００２８】
Ｂタイプの装飾部材を用いた場合にも、少なくとも襟元が開き過ぎるのを軽減することができる。
図４に示すＢタイプの装飾部材の下側の装飾体ｂ’は、円板状としてあり、上側の装飾体ｂに代わってこの装飾体ｂ’を利用すれば、趣の異なる装飾が可能になる。
【００２９】
ＡタイプおよびＢタイプの装飾部材を有するボタン用アクセサリーは、利用者の趣向で衣類Ｅのいずれかのボタンｅ’に対応するボタンホールｅに伸縮自在のリング３とともに連結部材Ｆを差し込んで前記ボタンｅ’に伸縮自在のリング３を係止するとともに、ＡタイプおよびＢタイプの装飾部材の差込部１を前記ボタンホールｅに差し込んで、図２、図３および図５、図６に示すように、連結部材Ｆを衣類Ｅの内側に位置させるか、あるいは、ＡタイプおよびＢタイプの装飾部材の差込部１を衣類Ｅのいずれかのボタンホールｅに差し込むとともに、伸縮自在のリング３を衣類Ｅの外側から前記ボタンホールｅに対応するボタンｅ’に係止して、図７、図８に示すように、連結部材Ｆを衣類Ｅの外側に位置させ、装飾感の違いを楽しむことができる。
【００３０】
上述したように、装飾部材にＡタイプとＢタイプとを用意しておけば、利用者の好み、あるいはＴ．Ｐ．Ｏでボタン用アクセサリーを使い分けることができる。
また、本ボタン用アクセサリーは、主として、前記伸縮自在のリング３を衣類Ｅのボタンｅ’のいずれかに係止するとともに、前記差込部１を当該ボタンｅ’に対応するボタンホールｅに差し込むほか、衣類Ｅの袖口部分に使用すれば、カフスボタンの代わりとして利用できる。
さらに、衣類Ｅの襟元にある１つ目（一番上）のボタンｅ’に係止するとともに、前記差込部１を１つ目（一番上）のボタンホールｅに差し込めば、サイズの小さくなった衣類Ｅの襟元のサイズを多少大きく見せる場合にも使用することができる。
【００３１】
図４(e)に示すように、Ｂタイプの装飾部材においては、差込部１の横断面形状をボタンホールｅの形状に合わせて縦長状とした場合が例示されている。このボタン用アクセサリーによれば、図６、図８および図１０に示すように、縦長状の差込部１が縦長状のボタンホールｅに差し込まれるので、ボタンホールｅの外側に位置するＢタイプの装飾体材の向きが変わって装飾効果が減殺されることを防止できる。
【００３２】
図１(a)、図４(a)に示すボタン用アクセサリーにあっては、連結部材Ｆの一部である連結リング２は環状になっており、その一部に切り目７が施されている。この切り目７を利用して連結リング２を差込部１に装着することができる。そして、この部分を半田溶接などで固定すれば、連結リング２が差込部１から妄りに外れない。
【００３３】
一方、連結リング２の環状の部分に切り目７が施されていないものを用いることもできる。この場合には、差込部１に切り目７のない連結リング２を装着した状態で、その両側に装飾体ａ、ａ’、ｂ、ｂ’を嵌め込んで固定することにより、Ａタイプ、Ｂタイプの装飾部材に連結部材Ｆを連結することができる。
【００３４】
また、図１(a)、図４(a)に示す伸縮自在のリング３には、例えば、さびにくいステンレス製の細いスプリングを用い、このスプリングを丸く螺旋状に加工し、このように加工した線材を図１(a)、図４(a)に示すように輪状にすることで、伸縮自在のリング３を形成することができる。
伸縮自在のリング３はこのように形成されているので、このリング３を衣類Ｅのボタンｅ’に係止しやすく、また、一旦ボタンｅ’に係止した後は、図９に示すように、このリング３がボタン糸ｅ”の回りを囲むので外れにくく、その結果、連結体４によって前記リング３と連結されている装飾部材ＡないしＢを落とすことがない。
【００３５】
さびにくいステンレス製の細いスプリングに代えて、シリコーン、ウレタン、天然ゴム、熱可撓性エラストマー、合成ゴムなどからなる素材で伸縮自在のリング３を形成しても良い。
これらの素材は金属製のスプリングより比較的加工が簡単で、安価に製造可能であり、また、人体や衣類Ｅなどに直接触れても接触物を傷付けることが少ないなど、様々な利点を有している。
【００３６】
図１(a)、(b)及び図４（a）、(b)において、符号８は連結体４の両端に連結リング２と伸縮自在のリング３を繋ぐための輪環である。
なお、これらの図においては、連結体４が横長状の鎖からなっている場合を例示してあるが、単に丸い（真円状の）形をした鎖を用いても良い。また、ロープ、紐等の長尺状のものであっても良い。
また、連結体４を構成する鎖自体に、ラインストーンその他の装飾を施したものを使用しても良い。
【００３７】
また、図１の装飾体ａ’に穴ａ”を形成しないでその部分にラインストーンその他の装飾を施し、あるいは、図４の装飾体ｂ、ｂ’にラインストーンその他の装飾を施しても良く、さらに、両側のラインストーンの色を異ならしめるなど、種々の変更が可能である。
【００３８】
図１１に示すように、連結体４には別の装飾体Ｇを取り付けることができる。この連結部材Ｆを有するボタン用アクセサリーによれば、連結部材Ｆが、特にその一部である連結体４がさらに別の装飾体Ｇで飾られるので、装飾効果がより一層高くなり、ボタン用アクセサリーとしてより一層高価に見える。このボタン用アクセサリーをレディース用として利用すれば、装飾価値がより高くなる。
【００３９】
また、図１２に示すように、装飾性をさらに向上させるために、装飾部材に別の装飾体を取り付け得るようにすることができる。この形態について、Ａタイプの装飾部材を用いて説明すると、連結部材Ｆの連結リング２に輪環８を取り付けるための取付環２ａとは別の取付環２ｂを設ける。そして、この取付環２ｂを有する連結部材Ｆの連結リング２を、上述したように装飾部材Ａの差込部１に装着してＡタイプの装飾部材と連結部材Ｆとを接続すれば良い。
【００４０】
このようにすると、図１２の太い鎖線で示すように、前記取付環２ｂに別の装飾体Ｈを取り付けることができ、Ａタイプの装飾部材がさらに別の装飾体Ｈで飾られるので、装飾効果がさらに高くなり、ボタン用アクセサリーとしてさらに一層高価に見える。このボタン用アクセサリーをレディース用として利用すれば、装飾価値がさらに高くなる。
なお、図１２においては、取付環２ａと取付環２ｂの形状を半円環状とした場合を例示するが、その形状を円環状としたり、あるいはその他の形状に自由に変更できる。
【００４１】
図１２では、前記取付環２ｂに取り付けた輪環８を介して装飾体ＨがＡタイプの装飾部材に直接取り付けられた場合を例示するが、輪環８と装飾体Ｈとの間に鎖その他の装飾体をさらに追加すれば、装飾効果がさらに高くなり、ボタン用アクセサリーとして極めて高価に見えるようにすることができる。
【００４２】
一方、衣類Ｅのボタンｅ’に係止するための伸縮自在のリング３については、さびにくいステンレス製の細いスプリングを用い、このスプリングを丸く螺旋状に加工し、このように加工した線材を図１(a)、図４(a)、図１１及び図１２に示すように輪状にすることにより形成することができる場合と、さびにくいステンレス製の細いスプリングに代えて、シリコーン、ウレタン、天然ゴム、熱可撓性エラストマー、合成ゴムなどからなる素材で形成することができる場合について説明したが、図１３に示すようなリング部材３’とバネ９とを組み合わせて伸縮自在のリングとしても良い。
【００４３】
すなわち、図１３(a)、（b）に示すように、二つ割りのリング部材３’、３’間をバネ９で連結して伸縮自在とすれば、伸縮自在のリング３の場合と同様に、衣類Ｅのボタンｅ’に係止することができる。リング部材３’、３’が二つ割りであるから、バネ９部分を引っ張るか、逆に圧縮すれば、非連結部分３”が開いて衣類Ｅのボタンｅ’に容易に係止することができる。二つ割りのリング部材３’、３’から手を離せば、バネ９の力で非連結部分３”が閉じられるので、バネ９で連結された二つ割りのリング部材３’、３’が衣類Ｅのボタンｅ’から脱落するおそれがない。
【００４４】
図１３(a)、(b)では、二つ割りのリング部材３’、３’間をバネ９で連結して伸縮自在とすることが容易に理解できるように、連結部材Ｆの右側とその端部に輪環８を介してバネ９で連結した二つ割りのリング部材３’、３’が接続されたところのみを表わした。
なお、二つ割りのリング部材３’、３’の全体形状を、図１３(a)では略楕円形、(b)では略方形状とした場合を例示するが、その全体形状はこれらのみに限定されるものではなく、その形状を自由に変更できる。
【符号の説明】
【００４５】
１…差込部、２…連結リング、３…伸縮自在のリング、３’…リング部材、３”…非連結部分、４…連結体、９…バネ、Ａ…装飾部材、ａ…上側の装飾体、ａ’…下側の装飾体、Ｂ…装飾部材、ｂ…上側の装飾体、ｂ’…下側の装飾体、Ｅ…衣類、ｅ…ボタンホール、ｅ’…ボタン、Ｆ…連結部材、Ｇ…装飾体、Ｈ…装飾体。
【図１】
2013165956.tif 000003
【図２】
2013165956.tif 000004
【図３】
2013165956.tif 000005
【図４】
2013165956.tif 000006
【図５】
2013165956.tif 000007
【図６】
2013165956.tif 000008
【図７】
2013165956.tif 000009
【図８】
2013165956.tif 000010
【図９】
2013165956.tif 000011
【図１０】
2013165956.tif 000012
【図１１】
2013165956.tif 000013
【図１２】
2013165956.tif 000014
【図１３】
2013165956.tif 000015